(57)【要約】【課題】貯蔵容器（ホッパ）内の減圧板の先端を回り込んでロータ上に流入するメダルはメダル同士が支えあってブリッジ状態やロック状態となることがある。またロータの回転によって飛ばされて略垂直に立ったメダルによって、他のメダルがロータへスムースに流入し難くなる。この現象は直径２５ｍｍメダルよりも直径３０ｍｍメダルの方が多い。本発明は、このようなブリッジ状態やロック状態等の解消装置を提供する。【解決手段】複数の分離孔を形成してベース部材上に配置した送出ロータの回転によって貯蔵容器（ホッパ）のコイン状部材が１枚ずつ送出ロータの周縁部に臨む送出部へ送出されるコイン状部材送出装置において、貯蔵容器（ホッパ）には、送出ロータの上方に向けて斜め下方へ延びたコイン状部材用減圧板と、この減圧板の下側空間に横方向に延びた弾力性のコイン状部材用制限部材を設けたこと。【選択図】図１
2008046848.tif 000002
【特許請求の範囲】
【請求項１】
ベース部材上にコイン状部材の貯蔵容器（ホッパ）を設け、複数の分離孔を形成して前記ベース部材上に配置した送出ロータの回転によって、前記貯蔵容器（ホッパ）のコイン状部材が１枚ずつ前記送出ロータの周縁部に臨む送出部へ送出されるコイン状部材送出装置において、前記貯蔵容器（ホッパ）には、前記送出ロータの上方に向けて斜め下方へ延びたコイン状部材用減圧板と、この減圧板の下側空間に横方向に延びた弾力性のコイン状部材用制限部材を設けたことを特徴とするコイン状部材送出装置。
【請求項２】
ベース部材上にコイン状部材の貯蔵容器（ホッパ）を設け、複数の分離孔を形成して前記ベース部材上に配置した送出ロータの回転によって、前記貯蔵容器（ホッパ）のコイン状部材が１枚ずつ前記送出ロータの周縁部に臨む送出部へ送出されるコイン状部材送出装置において、前記貯蔵容器（ホッパ）は、下側が前記送出ロータの外周に沿う円形状をなし、上側開口が略矩形状をなすように前記送出部側の壁とその対面側の壁が前記円形状から外方へ広がり、残りの対面する２つの壁が前記送出ロータの周縁部から略垂直に延びており、前記貯蔵容器（ホッパ）内の前記送出部側には、前記送出ロータの上方に向けて斜め下方へ延びたコイン状部材用減圧板と、この減圧板の下側空間に横方向に延びた先細り状の弾力性のコイン状部材用制限部材を設けたことを特徴とするコイン状部材送出装置。
【請求項３】
ベース部材上にコイン状部材の貯蔵容器（ホッパ）を設け、複数の分離孔を形成して前記ベース部材上に配置した送出ロータの回転によって、前記貯蔵容器（ホッパ）のコイン状部材が１枚ずつ前記送出ロータの周縁部に臨む送出部へ送出されるコイン状部材送出装置において、前記貯蔵容器（ホッパ）は、下側が前記送出ロータの外周に沿う円形状をなし、上側開口が略矩形状をなすように前記送出部側の壁とその対面側の壁が前記円形状から外方へ広がり、残りの対面する２つの壁が前記送出ロータの周縁部から略垂直に延びており、前記貯蔵容器（ホッパ）内の前記送出部側には、前記送出ロータの略回転中心の上方位置まで又はこの回転中心を超えた前記送出ロータの上方位置まで斜め下方へ延びたコイン状部材用減圧板を備え、この減圧板と前記送出ロータの間の空間に向けて前記送出部側の壁から前記送出ロータの略回転中心の上方位置まで横方向に延びた先細り状の弾力性のコイン状部材用制限部材を設けたことを特徴とするコイン状部材送出装置。
【請求項４】
前記コイン状部材用減圧板は先端部が弧状をなし、前記コイン状部材用制限部材は、基部が前記送出部側の壁に固定され先端部が略円錐形状をなし、前記基部から前記先端部の間がコイルバネで構成されたことを特徴とする請求項１乃至請求項３のいずれかに記載のコイン状部材送出装置。
【発明の詳細な説明】
【技術分野】
【０００１】
本発明は、ベース部材上にコイン状部材の収容部を設け、ベース部材上に配置した送出ロータの回転によって収容部のコイン状部材を１枚ずつ送出する送出装置に関する。
【背景技術】
【０００２】
ホッパに貯留したコインやメダル等のコイン状部材をホッパの底部に設けたロータの回転によって１枚ずつ送出する送出装置がある。その一つとして、この送出装置を台間メダル貸機内に組み込み、台間メダル貸機の前面の扉を開いて、このホッパに連通してこのホッパの上方にあるタンク内にメダルを補給するようにしている。この場合、この多数のメダルが押し合ってブリッジ状態となり、ロータへ向けたスムースな移動ができない状態が生じ、また、このホッパとタンク内の多数のメダルの荷重が直接ロータに掛かることによってロータの回転不良等が生じるため、これの防止のために、このホッパ内に減圧板を設けたものがある。（例えば、特許文献１参照）。
【特許文献１】特開２００４−３５０８５４号公報
【発明の開示】
【発明が解決しようとする課題】
【０００３】
このようなコイン状部材の送出装置において、前記減圧板の先端を回り込んでロータ上に流入するメダルは、この部分でメダル同士が支えあってブリッジ状態となり、またメダル同士が押し合ってロック状態となることがある。また、ロータの回転によって飛ばされて略垂直に立ったメダルによって、他のメダルがロータへスムースに流入し難くなり、或いは、他のメダルとブリッジ状態やロック状態となることがあり、ロータへ向けたメダルのスムースな移動ができない状態が生じる。この現象は、メダルの直径が大きくなるほど多く発生し、直径２５ｍｍメダルよりも、直径３０ｍｍメダルの方が多くなる。
【０００４】
本発明は、このような点に鑑みて、ベース部材上にコイン状部材の貯蔵容器（ホッパ）を設け、複数の分離孔を形成して前記ベース部材上に配置した送出ロータの回転によって、貯蔵容器（ホッパ）のコイン状部材が１枚ずつ前記送出ロータの周縁部に臨む送出部へ送出されるコイン状部材送出装置において、送出ロータに掛かるコイン状部材の押し圧荷重減衰のために、貯蔵容器（ホッパ）内に減圧板を設けると共に、この減圧板の下側に流入するコイン状部材のブリッジ状態やロック状態を制限するように作用する制限部材を設けるものである。
【０００５】
本発明において、コイン状部材とは、円形状硬貨、円形状メダル等を含めた総称であり、以下に示す実施例では、コイン状部材を円形状のメダルとして記載する。また、薄片とは、紙幣を含むことは勿論のこと、プリペイドカードやその他のカードであって、遊技メダルの供給を受けるための有価カードを含めた総称であり、紙幣やカードの材質は問わない。
【課題を解決するための手段】
【０００６】
第１発明のコイン状部材送出装置は、ベース部材上にコイン状部材の貯蔵容器（ホッパ）を設け、複数の分離孔を形成して前記ベース部材上に配置した送出ロータの回転によって、前記貯蔵容器（ホッパ）のコイン状部材が１枚ずつ前記送出ロータの周縁部に臨む送出部へ送出されるコイン状部材送出装置において、前記貯蔵容器（ホッパ）には、前記送出ロータの上方に向けて斜め下方へ延びたコイン状部材用減圧板と、この減圧板の下側空間に横方向に延びた弾力性のコイン状部材用制限部材を設けたことを特徴とする。
【０００７】
第２発明のコイン状部材送出装置は、ベース部材上にコイン状部材の貯蔵容器（ホッパ）を設け、複数の分離孔を形成して前記ベース部材上に配置した送出ロータの回転によって、前記貯蔵容器（ホッパ）のコイン状部材が１枚ずつ前記送出ロータの周縁部に臨む送出部へ送出されるコイン状部材送出装置において、前記貯蔵容器（ホッパ）は、下側が前記送出ロータの外周に沿う円形状をなし、上側開口が略矩形状をなすように前記送出部側の壁とその対面側の壁が前記円形状から外方へ広がり、残りの対面する２つの壁が前記送出ロータの周縁部から略垂直に延びており、前記貯蔵容器（ホッパ）内の前記送出部側には、前記送出ロータの上方に向けて斜め下方へ延びたコイン状部材用減圧板と、この減圧板の下側空間に横方向に延びた先細り状の弾力性のコイン状部材用制限部材を設けたことを特徴とする。
【０００８】
第３発明のコイン状部材送出装置は、ベース部材上にコイン状部材の貯蔵容器（ホッパ）を設け、複数の分離孔を形成して前記ベース部材上に配置した送出ロータの回転によって、前記貯蔵容器（ホッパ）のコイン状部材が１枚ずつ前記送出ロータの周縁部に臨む送出部へ送出されるコイン状部材送出装置において、前記貯蔵容器（ホッパ）は、下側が前記送出ロータの外周に沿う円形状をなし、上側開口が略矩形状をなすように前記送出部側の壁とその対面側の壁が前記円形状から外方へ広がり、残りの対面する２つの壁が前記送出ロータの周縁部から略垂直に延びており、前記貯蔵容器（ホッパ）内の前記送出部側には、前記送出ロータの略回転中心の上方位置まで又はこの回転中心を超えた前記送出ロータの上方位置まで斜め下方へ延びたコイン状部材用減圧板を備え、この減圧板と前記送出ロータの間の空間に向けて前記送出部側の壁から前記送出ロータの略回転中心の上方位置まで横方向に延びた先細り状の弾力性のコイン状部材用制限部材を設けたことを特徴とする。
【０００９】
第４発明は、第１発明乃至第３発明に記載のコイン状部材送出装置において、前記コイン状部材用減圧板は先端部が弧状をなし、前記コイン状部材用制限部材は、基部が前記送出部側の壁に固定され先端部が略円錐形状をなし、前記基部から前記先端部の間がコイルバネで構成されたことを特徴とする。
【発明の効果】
【００１０】
第１発明では、送出ロータに掛かるコイン状部材の押し圧荷重減衰は、減圧板によって達成される。そして、この減圧板の下側に流入するコイン状部材や、ロータの回転によって飛ばされて略垂直に立ったコイン状部材は、減圧板の下側空間において、横方向に延びた弾力性のコイン状部材用制限部材に衝突し、この制限部材を撓ませる。この撓みによっては、コイン状部材の移動が緩和され、ブリッジ状態やロック状態になることが防止される。また、この制限部材は、弾力によって復帰するとき、コイン状部材を弾くため、ロータ上のコイン状部材の姿勢が崩され、ブリッジ状態やロック状態になることが防止される。
【００１１】
第２発明では、第１発明の効果に加えて、上側開口が略矩形状をなす貯蔵容器（ホッパ）において、貯蔵容器（ホッパ）内の送出部側に、送出ロータの上方に向けて斜め下方へ延びたコイン状部材用減圧板が配置されることによって、送出部側へのコイン状部材の荷重負荷を抑制して、ロータの円滑な回転が確保される。更に、弾力性の制限部材の先端が先細り状である。先端が切り立った平坦であれば、ロータの回転によって飛ばされて略垂直に立ったコイン状部材が、その平坦に沿って立った姿勢を維持し、そのコイン状部材に他のコイン状部材が横に重なってコイン状部材の積層ができ、コイン状部材が送出ロータへスムースに流入し難くなるが、先細りであるため、コイン状部材はこの先細り部に衝突することによって略垂直姿勢から倒れ、送出ロータへスムースに流入する状態となる。
【００１２】
第３発明では、減圧板の張り出し長さと制限部材の長さを送出ロータとの関係で規定することによって、この減圧板によって、送出部側へのコイン状部材の荷重負荷を抑制して、ロータの円滑な回転が確保される。また、この減圧板と送出ロータの間の空間において、第１発明の効果同様に、弾力性の制限部材による作用によって、コイン状部材のブリッジ状態やロック状態が解消される。更に、第２発明同様に、弾力性の制限部材が先細り状であることによって、送出ロータの回転によって飛ばされて略垂直に立ったコイン状部材が、この先細り部に衝突することによって略垂直姿勢から倒されるため、この略垂直に立ったコイン状部材によって他のコイン状部材が送出ロータへスムースに流入し難くなることもなくなる。
【００１３】
第４発明では、減圧板は先端部が弧状をなすことによって、減圧板上を滑るコイン状部材が、送出ロータの一箇所に集中して落下しないようにするために、減圧板の先端部を弧状にすることによって、減圧板上を滑るコイン状部材は中央に集中せず、左右からも落下し易くなるため、送出ロータへ係る荷重分散が図れることとなる。そして、制限部材は、基部が送出部側の壁に固定されて安定し、先端部の略円錐形状によって、第２発明同様に、そこに衝突するコイン状部材は上下左右に移動自由となるため、この部分で停止拘束されず、コイン状部材のブリッジ状態やロック状態になる原因が解消され、また、送出ロータの回転によって飛ばされて略垂直に立ったコイン状部材が、この略円錐形状部に衝突することによって略垂直姿勢から倒されるため、この略垂直に立ったコイン状部材によって他のメダルが送出ロータへスムースに流入し難くなることもなくなる。
【発明を実施するための最良の形態】
【００１４】
本発明のコイン状部材送出装置は、ベース部材上にコイン状部材の貯蔵容器（ホッパ）を設け、複数の分離孔を形成して前記ベース部材上に配置した送出ロータの回転によって、前記貯蔵容器（ホッパ）のコイン状部材が１枚ずつ前記送出ロータの周縁部に臨む送出部へ送出されるコイン状部材送出装置において、前記貯蔵容器（ホッパ）には、前記送出ロータの上方に向けて斜め下方へ延びたコイン状部材用減圧板と、この減圧板の下側空間に横方向に延びた弾力性のコイン状部材用制限部材を設けたものであり、本発明の実施例を以下に記載する。
【実施例１】
【００１５】
次に、薄片をその代表的な紙幣で表し、コイン状部材１００を円形状の遊技用メダル１００とした本発明の実施の形態について説明する。図１は本発明に係るコイン状部材送出装置の上面斜視図、図２は本発明に係るコイン状部材送出装置の送出部のカバーを外した斜視図、図３は本発明に係るコイン状部材送出装置の送出部のカバーを外した上面図、図４は本発明に係るコイン状部材送出装置の送出ロータとロータガイドリングの関係を示す断面図、図５は本発明に係る送出ロータの分離孔部分の裏側斜視図、図６は本発明に係る検出部を示す斜視図、図７は本発明に係る検出部の検出位置の説明図、図８は本発明に係るコイン状部材送出装置を備えたメダル貸機と遊技機の併設状態を示す正面図、図９は本発明に係るコイン状部材送出装置の貯蔵容器（ホッパ）から見た平面図、図１０は本発明に係るコイン状部材送出装置の貯蔵容器（ホッパ）部の要部縦断側面図、図１１は本発明に係るコイン状部材用制限部材の構成を示す一部断面の側面図、図１２は送出ロータの形状が異なる本発明に係るコイン状部材送出装置の上面斜視図である。
【００１６】
本発明の実施の形態を図に基づき説明する。図８において、１は遊技機であり、スロットマシン、スロットルマシン、或いはパチスロ機と称される遊技機を示す。遊技機１では所定のメダル１００が使用されるため、メダル投入口２５に遊技に必要な最低１枚のメダル１００が投入された状態において、スタートレバー１Ａを操作することにより、３個のリール１Ｃが回転する。この状態でタイミングを見て３個のストップボタン１Ｂを押すことにより、対応するリール１Ｃが順次停止し、表面に表示された各リール１Ｃの図柄や数字の組み合わせに応じて入賞メダルが、払い出し口からメダル受け皿１Ｄに払い出される仕組みである。
【００１７】
遊技機１にはコイン状部材の貸機であるメダルの貸機ＭＫが併設される。メダル貸機ＭＫは、遊技用メダル１００の供給を受けるために前面の挿入口１１１から挿入された紙幣や有価カード等の薄片の識別機能を有する薄片識別装置１１０と、この薄片の挿入によって所定枚数のメダル１００を払い出すメダル送出装置２と、電装部６０等が収納されている。メダル貸機ＭＫは、単に貸機と称する場合があり、また、遊技機１相互間に配置されるため台間貸機とも称される。各遊技機１にそれぞれ貸機ＭＫが併設配置され、この形態は一つの島を形成する状態であるため、これを遊技装置の島、遊技島と称している。遊技機１と貸機ＭＫは、遊技島の外観形成を整えるために略同一高さに形成されている。
【００１８】
有価カードとしては、プリペイドカード、その他のカード等の如くカードに貨幣価値が記憶されたものであり、このカードを薄片識別装置１１０に挿入することによって、メダル貸機ＭＫからメダル１００の供給を受けることができるものである。また、メダル貸機ＭＫは、その内部の上部に薄片の一つである紙幣の真偽を識別する薄片識別装置１１０が配置され、下部にコイン状部材送出装置であるメダル送出装置２が配置され、そして中間部に電装部６０が配置されている。
【００１９】
薄片挿入口１１１から挿入された紙幣の真偽判別を薄片識別装置１１０で行い、識別した真正紙幣は前記遊技島の裏側に設置した薄片搬送装置（図示せず）によって、前記遊技装置の島の端部に設けた金庫へ搬送される仕組みである。メダル貸機ＭＫに適用可能な紙幣は、例えば、１０００円以外に、２０００円、５０００円、１００００円の紙幣の一つ又は複数とすることもできる。
【００２０】
電装部６０は、薄片識別装置１１０とメダル送出装置２等に電気的に接続されている。このため電装部６０は、紙幣挿入口１１１から挿入され薄片識別装置１１０にて識別された真正紙幣の金額データの読み込み制御や、この金額データをメダル貸機ＭＫの前面板に設けた表示器に表示させる制御や、この真正紙幣の金額に対応してメダル送出装置２から所定数のメダルを払い出す制御（実施例では、最低購入単位として１０００円分で５０枚のメダルを払い出す）や、このメダル送出装置２から払い出すメダル数をメダル貸機ＭＫの前面に設けた表示器に表示させる制御や、貯蔵容器（ホッパ）５Ｐの収納メダルの不足状態を検知する残量検知部ＥＳで検知しＬＥＤ等の表示部等で報知する制御や、後述のように残量検知部ＥＳが最低残量を検知したとき、それ以降何回まで正規のメダル払い出しを行うかの制御を行う制御回路を備えた制御部６１を含む。
【００２１】
コイン状部材の送出装置であるメダル送出装置２は以下の構成をなす。即ち、合成樹脂製のベース部材４上には、円形状のコイン状部材であるメダル１００を収納する収容部５を形成する合成樹脂製の貯蔵容器（ホッパ）５Ｐが、ベース部材４に対してネジ又は係止装置によって着脱自在に取り付けられている。ベース部材４上には、複数の分離孔１０を形成した合成樹脂製の送出ロータ７が略水平状態に配置され、送出ロータ７は、ベース部材４の後側に取り付けた電動機装置８からベース部材４の上壁を貫通した回転軸９の先端部に取り付けられている。
【００２２】
貯蔵容器（ホッパ）５Ｐは、上面と下面にそれぞれ開口５Ａ、５Ｂを有し、下面開口５Ｂは送出ロータ７の外周に沿う円形状をなし、上側開口が略矩形状をなすように前記送出部側の壁とその対面側の壁が前記円形状から外方へ広がり、残りの対面する２つの壁が前記送出ロータの周縁部から略垂直に延びており、下側が円形状であって上側が矩形状をなす容器形状である。この下面開口５Ｂに対応して送出ロータ７が配置される。
【００２３】
回転軸９の先端部に取り付けられた送出ロータ７は、図４に示すように、ベース部材４の上面に形成した円形状の窪み４Ａに略水平状態に配置され、窪み４Ａの表面から若干離れた状態で電動機装置８によって、図３に示すようにＲ方向へ回転する構成である。送出ロータ７の上面周縁部及び周囲面と若干の間隔を存して送出ロータ７の上面周縁部と周囲面を覆うようにロータガイドリング２０が設けられている。ロータガイドリング２０は、窪み４Ａを取り囲むように窪み４Ａよりも高い位置に形成した円形状の段部４Ｂに載置され、ベース部材４に形成した係止爪部２１によってベース部材４の所定位置に保持される。ロータガイドリング２０は、送出ロータ７の上面周縁部を覆うリング部２０Ａから外方へ広がるように傾斜したリング部２０Ｂを形成しており、図４に示すように、貯蔵容器（ホッパ）５Ｐの円形状の下面開口５Ｂが、リング部２０Ａ、２０Ｂに沿うように、貯蔵容器（ホッパ）５Ｐがベース部材４に取り付けられる。
【００２４】
送出ロータ７が回転軸９の先端部に取り付けられて窪み４Ａに配置された状態で、ロータガイドリング２０の周縁部に複数箇所形成した切り欠き２０Ｃを各係止爪部２１に対応させるように、ロータガイドリング２０を段部４Ｂに載置し、この状態で図２及び図３において、ロータガイドリング２０を時計方向へ回動させることによって、図２、図３及び図４に示すように、ロータガイドリング２０が係止爪部２１の下側に潜り込んで係止されると共に、ロータガイドリング２０の端部２０Ｄがベース部材４に形成したストッパ段部２２に当接して、ロータガイドリング２０が所定位置に保持される。
【００２５】
送出ロータ７は、図３に示すように、同心円上に複数の分離孔１０（図示のものは６個の分離孔を有するが、これに限定されない）を略等間隔に配置した円盤状をなし、各分離孔１０は、メダル１００の直径よりも若干大きい直径でもって送出ロータ７を上下に円形状に貫通し、上側周縁部には回転方向Ｒの下流側に下向きの低く傾斜状に広がった案内面１１を形成している。また、各分離孔１０の下側周縁部には、送出ロータの周縁に臨む開放出口１０Ａを形成し、この開放出口１０Ａの回転方向Ｒの下流側には、送出ロータ７の周縁へ延びる流線型の押し出し壁１２を形成している。
【００２６】
図４に示すように、ベース部材４の上面の窪み４Ａには、送出ロータ７の周縁部に臨むようにメダル１００の送出部１３が形成されている。この送出部１３の入口側に対応して、分離孔１０の回転軌跡上に、円錐状の送出案内ピン４５が設けられ、送出ロータ７の下面には、この送出案内ピン４５が衝突しないように、たて形成した円形状の窪み４Ａに配置され、回転軸９を中心とした円形の溝４５Ａが形成されている。
【００２７】
この構成によって、送出ロータ７の回転によって、貯蔵容器（ホッパ）５Ｐのメダル１００は、１枚ずつ分離して分離孔１０に順次入り込み、分離孔１０の底部に入り込んだメダル１００は、送出ロータ７の回転に伴ってベース部材４の上面を滑りつつ送出案内ピン４５に衝突し、押し出し壁１２によって、ベース部材４の上面に形成した送出部１３へ向けて、開放出口１０Ａから送出ロータ７の外方へ押し出される仕組みである。このようにして、メダル１００は、送出ロータ７の回転に伴って各分離孔１０から１枚ずつ送出される。
【００２８】
送出ロータ７の回転に伴って送出ロータ７の外方へ押し出されたメダル１００は、コイン状部材通路を構成する送出部１３へ入る。送出部１３の入口部には、送出ロータ７から外方へ押し出されたメダル１００が最初に通過する位置に、メダル１００の直径よりも若干小さい間隔を存して、固定側壁１５と可動体１６が配置されている。送出ロータ７の回転に伴って分離孔１０の底部に入り込んだメダル１００は、開放出口１０Ａから送出ロータ７の外方へ移動し、固定側壁１５の内側の傾斜面１５Ｂに当接すると共に送出案内ピン４５に衝突して、押し出し壁１２によって押され回転しつつ押し出される。
【００２９】
このようにして送出ロータ７の外方へ押し出されたメダル１００は、送出部１３へ入り、図３に示すように、送出部１３をＹ１方向に通って、送出装置２の側面に形成した送出口１４から送出される。送出口１４から送出されるメダル１００は、図９に示すように、ノズル２Ｎを通って遊技機１の前面に設けた受け皿１Ｄへ供給され、遊技客による次の遊技に使用可能となる。送出部１３の通路幅Ｔ１は、固定側壁１５の先端の直線部１５Ａとその対面側に固定側壁１５と並行に配置した固定側壁２６との間隔で形成される。この通路幅Ｔ１は、メダル１００が円滑に移動できるように、メダル１００の直径よりも若干大きい寸法に定めている。
【００３０】
図３に示すように、固定側壁１５は、送出部１３の入口側の送出ロータ７の回転方向（Ｒ）手前側に送出ロータ７から送出されるメダル１００が当接する位置に設けられており、耐磨耗性を考慮して金属製とし、実施例ではステンレススチールで構成している。可動体１６は、固定側壁１５に対して送出ロータ７の回転方向（Ｒ）前方側に位置し、メダル１００によって押し圧作動されるようにバネ１７で付勢された状態に設けられている。可動体１６は、Ｌ字状の可動アーム１９に立設した軸１９Ａに回転可能に取り付けた円筒体１６Ａで構成され、可動アーム１９は、ベース部材４の下側に中央部を回転可能に軸１８で支持されると共に、他端部が復帰作用バネ１７の引っ張り力によって引っ張られており、この状態で、可動体１６は固定側壁１５との間にメダル１００の直径よりも若干小さい間隔を維持している。
【００３１】
このため、送出ロータ７の外方へ押し出されるメダル１００は、この固定側壁１５と可動体１６との間に到達した際、図３に点線で示すように、可動体１６をバネ１７の引っ張り力に抗して１６Ａの状態に押し退けつつ進み、メダル１００の直径部が通過したとき、バネ１７の引っ張り力によって復帰する可動体１６によって、送出口１４方向へ弾き飛ばされる。この弾き飛ばされたメダル１００は、固定側壁２６側から送出部１３に臨むように配置した検出部２３をＹ１方向に通過して、送出口１４から送出される。
【００３２】
検出部２３は、図６に示すように、検出センサとして発光部と受光部からなる光センサ構成である。実施例では、発光部２４Ａと受光部２５Ａ、及び発光部２４Ｂと受光部２５Ｂの二組の光センサで構成されており、メダル１００が検出部２３を通過するとき、発光部２４Ａから受光部２５Ａへ到達する光通路、又は発光部２４Ｂから受光部２５Ｂへ到達する光通路が遮られることによって、メダル１００の通過枚数を電装部６０に設けた制御部６１の計数部（図示せず）によって計数する仕組みである。
【００３３】
検出部２３における検出位置は、メダル１００の直径を外れた部位での検出としている。即ち、送出ロータ７から送出されるメダル１００が連なって送出される場合にも、１枚ずつの検出ができるようにするために、発光部２４Ａ、２４Ｂから受光部２５Ａ、２５Ｂへ至るそれぞれの光通路は、送出されるメダル１００の直径部位ではなく、直径部位から外れた位置、即ち、メダル１００の直径よりも短い部位での検出としている。即ち、図７に示すように、円形状のメダル１００の中心ＣＨを通る直径部位から固定側壁２６側に寄った位置ＡＨとＢＨで検出するように、それぞれ発光部２４Ａから受光部２５Ａへ至る光通路と、発光部２４Ｂから受光部２５Ｂへ至る光通路を定めている。
【００３４】
また、検出部２３は一つの発光部２４Ａと一つの受光部２５Ａのみでもよいが、発光部２４Ａと受光部２５Ａ、及び発光部２４Ｂと受光部２５Ｂの二組で構成されるのは、上記のように検出精度を上げると共に、悪戯対策である。即ち、メダル１００がＹ１方向に通った場合の検出パルスを計数信号として制御部６１で採用し、悪戯によってＹ１方向と反対方向にメダル１００が押し込まれて通過した場合の検出パルスを不採用とすることによって、悪戯によって誤った計数がされないようにしている。検出部２３をこのような受光量の変化によって検知する方式に替えて、メダル１００が通過することによって生じる電気量（静電容量、誘起起電力、周波数など）の変化や又は磁気量の変化などを計測するものでもよい。
【００３５】
検出部２３は、発光部２４Ａと受光部２５Ａの組み合わせ位置、及び発光部２４Ｂと受光部２５Ｂの組み合わせ位置を正確にするために、図６に示すように、発光部２４Ａ、２４Ｂと受光部２５Ａ、２５Ｂとを合成樹脂製ホルダ２３Ａ内に収めた構成である。合成樹脂製ホルダ２３Ａは略コ字形をなし、その一方の辺である上辺２３Ａ１に発光部２４Ａ、２４Ｂが送出部１３に上方から臨むように、上手側（上流側）と下手側（下流側）の配置で内蔵され、上辺２３Ａ１に対抗する合成樹脂製ホルダ２３Ａの他方の辺である下辺２３Ａ２には、受光部２５Ａ、２５Ｂが送出部１３に下方から臨むように、上手側（上流側）と下手側（下流側）の配置で内蔵されている。そして、合成樹脂製ホルダ２３Ａの発光部２４Ａ、２４Ｂから受光部２５Ａ、２５Ｂに至るそれぞれの光通路部分は、透明資材で構成された透明部２３Ｂを形成している。
【００３６】
合成樹脂製ホルダ２３Ａは、発光部２４Ａ、２４Ｂと受光部２５Ａ、２５Ｂを合成樹脂成形によって埋設する構成の場合と、合成樹脂製ホルダ２３Ａがケースで構成され、このケースの中に発光部２４Ａ、２４Ｂと受光部２５Ａ、２５Ｂを収納して密閉する構成の場合とがある。本発明では、合成樹脂成形によって埋設する構成の場合、及びこのケース構成の場合の両方を含めて、合成樹脂製ホルダ２３Ａと称している。
【００３７】
送出部１３と検出部２３の部分は、合成樹脂製のカバー３２によって覆われている。カバー３２は、ベース部材４の上面に形成した係止部３３に下側に潜り込んで係止され、他端側はネジ３４によってベース部材４にネジ止めされる。このカバー３２の下面３２Ａと送出部１３の上面１３Ａとの間隔Ｔ２が、メダル１００の厚さＴ０よりも若干大きい寸法になっている。これによって、固定側壁１５と固定側壁２６の間隔Ｔ１（メダル１００の直径方向の間隔）と、このカバー３２の下面３２Ａと送出部１３の上面１３Ａとの間隔Ｔ２（メダル１００の厚さ方向の間隔）との間が、送出部１３のコイン状部材通路の大きさである。そして、この送出部１３のコイン状部材通路の出口が、メダル１００の送出口１４となる。
【００３８】
本発明では、貯蔵容器（ホッパ）５Ｐ内に収容されるコイン状部材１００であるメダル１００の荷重が、送出ロータ７に掛かることを減衰する減圧板３７を設けると共に、この減圧板３７の下側に流入するメダル１００のブリッジ状態やロック状態を制限するように作用する制限部材４０を設けるものである。特に、減圧板３７と制限部材４０は、送出部１３側から送出部１３の反対側に向けて延びている。この具体的構成を以下に記載する。
【００３９】
貯蔵容器（ホッパ）５Ｐには、送出ロータ７の上方に向けて斜め下方へ延びたコイン状部材用減圧板３７と、この減圧板３７の下側空間に横方向（略水平方向）に延びた弾力性のコイン状部材用制限部材４０を設けている。貯蔵容器（ホッパ）５Ｐは、上記のように、下側が送出ロータ７の外周に沿う円形状の開口５Ｂをなし、上側開口５Ａが略矩形状をなすように送出部１３側の前壁５Ｆとその対面側の後壁５Ｇが円形状の開口５Ｂから外方へ斜めに広がった状態で形成され、残りの対面する２つの左右壁５Ｈと５Ｍが送出ロータ７の周縁部に対応する開口５Ｂから略垂直に延びている。これによって、貯蔵容器（ホッパ）５Ｐは、下側が円形状であって上側が矩形状をなす容器形状である。この下面開口５Ｂに対応して送出ロータ７が配置される。
【００４０】
減圧板３７は、貯蔵容器（ホッパ）５Ｐ内の送出部１３側に位置し、左右壁５Ｈと５Ｍに渡る幅でもって、前壁５Ｆと左右壁５Ｈと５Ｍにそれぞれネジ３８で固定され、前壁５Ｆから送出ロータ７の上方に向けて斜め下方へ延びており、好ましい形態として、送出ロータ７の略回転中心である回転軸９の上方位置又はこの回転中心ＣＬの回転軸９を超えた送出ロータ７の上方位置まで斜め下方へ延びている。減圧板３７上を滑るメダル１００が、送出ロータ７の一箇所に集中して落下しないようにするために、減圧板３７の先端部を弧状３７Ｐにすることによって、減圧板３７上を滑るメダル１００は減圧板３７の中央に集中せず、左右からも落下し易くなるため、送出ロータ７へ係る荷重分散が図れることとなる。なお、減圧板３７の左右幅は、先端部弧状３７Ｐの左右の基点部分で狭くなっており、そこに隙間３７Ｓが形成されている。この隙間３７Ｓは、１〜３枚のメダル１００が重なってロックしない寸法に定めている。
【００４１】
また、コイン状部材用制限部材４０は、先細り状で弾力性を有し、送出部１３側の前壁５Ｆから、減圧板３７と送出ロータ７の間の空間に向けて横方向（略水平方向）に延びており、好ましい形態として、前壁５Ｆにネジ４４で固定される基部が、送出部側の壁に固定された円柱形状の金属製の基部部材４１で構成され、先端部が略円錐形状をなす合成樹脂製の先端部材４２で構成され、基部部材４１から先端部材４２の間が、基部部材４１から先端部材４２に渡るコイルバネ４３で構成されている。そして、先端部材４２の先端４２Ｐは、送出ロータ７の略回転中心ＣＬである回転軸９の上方位置、またはその近傍上方位置まで略水平状態で横方向に延びており、平面視で減圧板３７の先端よりも出ない状態である。
【００４２】
基部部材４１には、コイルバネ４３の基部が嵌り込む環状溝４１Ａと、環状溝４１Ａの先方にコイルバネ４３の基部側がコイル径を拡大して弾性係合する大径部４１Ｂとが形成され、これによって、基部部材４１にコイルバネ４３の基部がしっかりと保持される。また、先端部材４２は、円錐形状部の基部直径がコイルバネ４３の直径よりもかなり大径であり、先端部材４２には、コイルバネ４３の先端部が嵌り込む環状溝４２Ａと、環状溝４２Ａの後方にコイルバネ４３の先端側がコイル径を拡大して弾性係合する大径部４２Ｂが形成され、これによって、先端部材４２とコイルバネ４３の先端部とがしっかりと結合される。基部部材４１は、中心軸線に形成したネジ孔４１Ｃにネジ４４にネジ部４４Ａが螺合して、基部部材４１が前壁５Ｆに固定されて略水平状態に保持される。
【００４３】
貯蔵容器（ホッパ）５Ｐ内の矩形状の上側開口５Ａに連通して、貯蔵容器（ホッパ）５Ｐ上に第２ホッパ５Ｐ２が配置され、貸機ＭＫの前面扉を開いてこの第２ホッパ５Ｐ２へメダル１００が補給される。その補給されたメダル１００は、貯蔵容器（ホッパ）５Ｐの後壁５Ｇへ直接落下し、その傾斜に沿って送出ロータ７へ向けて移動するものと、減圧板３７に衝突して、減圧板３７の傾斜に沿って移動するものがある。このようにして、貯蔵容器（ホッパ）５Ｐ及び第２ホッパ５Ｐ２内にメダル１００が収容される。
【００４４】
送出ロータ７の上方には減圧板３７が存在するため、貯蔵容器（ホッパ）５Ｐ及び第２ホッパ５Ｐ２内のメダル１００の荷重が送出ロータ７に及ぼす圧力は、減圧板３７で減衰されるため、送出ロータ７に掛かる負荷は減少する。一方、貯蔵容器（ホッパ）５Ｐ内でのメダル１００の動きは複雑であり、送出ロータ７の回転によって起立状態となるメダル１００もあれば、貯蔵容器（ホッパ）５Ｐの後壁５Ｇを滑って移動するメダル１００等が、送出ロータ７と減圧板３７との間のメダル１００を押し、その圧力が大きい場合には、メダル１００相互がブリッジ状態や、ロック状態となる。このような状態になれば、送出ロータ７の各分離孔１０へのメダル１００の移動が途絶え、良好なメダル送出が行なえなくなる。
【００４５】
しかし、コイン状部材用制限部材４０の存在によって、送出ロータ７と減圧板３７との間に進入したメダル１００は、先細り制限部材４０の先端部材４２の円錐形状に衝突し、その形状に沿って周辺へ偏向され、また、コイルバネ４３の弾性力に抗して先端部材４２が上下・左右・斜め方向へ動くため、送出ロータ７の上方のメダル１００は、送出ロータ７の回転も伴って絶えず動かされ、メダル１００相互のブリッジ状態やロック状態になることが防止される。また、送出ロータ７の回転によって起立状態となるメダル１００も、同様に制限部材４０の動きや先端部材４２の円錐形状に沿った偏向移動によって、起立状態維持ができず、起立状態によって生じる前記障害も解消する。
【００４６】
制限部材４０は、送出ロータ７と減圧板３７との間の空間に先端が位置するように、送出ロータ７に略平行な略水平状態の突出姿勢を維持するものであり、メダル１００によって先端部材４２が偏向しても、常時略水平状態の突出姿勢位置へ復帰するように、コイルバネ４３の弾性力を設定している。このため、かなり大きく先端部材４２が偏向したときは、コイルバネ４３の弾性力によって先端部材４２が復帰する際に、メダル１００が動かされるため、メダル１００相互のブリッジ状態やロック状態になることが防止されるように作用する。
【００４７】
上記のように、貯蔵容器（ホッパ）５Ｐ内には、送出部１３側から送出部１３の反対側に向けて延びた減圧板３７と制限部材４０を設けているため、送出部１３側におけるメダル１００のブリッジ状態やロック状態の解消が良好に行え、メダル送出が良好となる。
【００４８】
図１２には、コイン状部材送出装置２のもう一つの形態として、直径３０ｍｍのメダル１００の送出を行なうように、等角度間隔で３個の分離孔１０が送出ロータ７に形成されたコイン状部材送出装置の上面斜視図を示している。構成と動作機能は上記と同様であるため、上記説明を援用することとし、同一機能部分には、同一符号を付している。
【００４９】
貯蔵容器（ホッパ）５Ｐの前壁５Ｆのコーナ部には、先端４６Ｐが回転する送出ロータ７の分離孔１０に上方から近接するように延びたコイルバネで構成したメダル残留防止部材４６が設けられている。このメダル残留防止部材４６は、送出ロータ７の回転に伴って、メダル１００が抵抗を受け、横に倒れた水平状態で１枚ずつメダル分離孔１０に入るように作用するものである。
【産業上の利用可能性】
【００５０】
本発明は、上記実施形態に限定されず、本発明の技術的範囲を逸脱しない限り種々の変更が考えられ、それに係る種種の実施形態を包含するものである。
【図面の簡単な説明】
【００５１】
【図１】本発明に係るコイン状部材送出装置の上面斜視図である。（実施例１）
【図２】本発明に係るコイン状部材送出装置の送出部のカバーを外した斜視図である。（実施例１）
【図３】本発明に係るコイン状部材送出装置の送出部のカバーを外した上面図である。（実施例１）
【図４】本発明に係るコイン状部材送出装置の送出ロータとロータガイドリングの関係を示す断面図である。（実施例１）
【図５】本発明に係る送出ロータの分離孔部分の裏側斜視図である。（実施例１）
【図６】本発明に係る検出部を示す斜視図である。（実施例１）
【図７】本発明に係る検出部の検出位置の説明図である。（実施例１）
【図８】本発明に係るコイン状部材送出装置を備えたメダル貸機と遊技機の併設状態を示す正面図である。（実施例１）
【図９】本発明に係るコイン状部材送出装置の貯蔵容器（ホッパ）から見た平面図である。（実施例１）
【図１０】本発明に係るコイン状部材送出装置の貯蔵容器（ホッパ）部の要部縦断側面図である。（実施例１）
【図１１】本発明に係るコイン状部材用制限部材の構成を示す一部断面の側面図である。（実施例１）
【図１２】送出ロータの形状が異なる本発明に係るコイン状部材送出装置の上面斜視図である。（実施例１）
【符号の説明】
【００５２】
１・・・・遊技機
２・・・・コイン状部材送出装置
４・・・・ベース部材
５・・・・コイン状部材の収容部
５Ａ・・・上側開口
５Ｂ・・・下側開口
５Ｆ・・・貯蔵容器（ホッパ）の前壁
５Ｇ・・・貯蔵容器（ホッパ）の後壁
５Ｈ・・・貯蔵容器（ホッパ）の左壁
５Ｍ・・・貯蔵容器（ホッパ）の右壁
５Ｐ・・・貯蔵容器（ホッパ）
７・・・・送出ロータ
８・・・・電動機装置
９・・・・回転軸
１０・・・分離孔
１３・・・送出部
１５・・・固定側壁
１６・・・可動体
１７・・・バネ
２０・・・ロータガイドリング
２０Ｃ・・切り欠き
２１・・・係止爪部
２３・・・検出部
２４Ａ、２４Ｂ・・・発光部
２５Ａ、２５Ｂ・・・受光部
２６・・・固定側壁
３７・・・コイン状部材用減圧板
３７Ｐ・・減圧板の弧状先端部
４０・・・コイン状部材用制限部材
４１・・・基部部材
４２・・・先端部材
４３・・・コイルバネ
１００・・コイン状部材
ＭＫ・・・メダル貸機
【図１】
2008046848.tif 000003
【図２】
2008046848.tif 000004
【図３】
2008046848.tif 000005
【図４】
2008046848.tif 000006
【図５】
2008046848.tif 000007
【図６】
2008046848.tif 000008
【図７】
2008046848.tif 000009
【図８】
2008046848.tif 000010
【図９】
2008046848.tif 000011
【図１０】
2008046848.tif 000012
【図１１】
2008046848.tif 000013
【図１２】
2008046848.tif 000014